(57)【要約】      （修正有）【課題】ユーザが把持しやすい電子体温計を提供する。【解決手段】被検者の体温を計測する電子体温計１００であって、体温を計測する温度計測部１０２と、体温を表示する表示部１０４と、温度計測部を先端に収納する筐体１０１と、筐体の後端から所定範囲内の筐体表面に形成された把持部と、を備え、表示部側の把持部は、凹面形状部１０６を有する。【選択図】図１
2014202501.tif 000002
【特許請求の範囲】
【請求項１】
被検者の体温を計測する電子体温計であって、
前記体温を計測する温度計測部と、
前記体温を表示する表示部と、
前記温度計測部を先端に収納する筐体と、
前記筐体の後端から所定範囲内の筐体表面に形成された把持部と、を備え、
前記表示部側の前記把持部は、凹面形状部を有することを特徴とする電子体温計。
【請求項２】
前記凹面形状部は、前記筐体の後端から所定範囲内の表面に形成されることを特徴とする請求項１に記載の電子体温計。
【請求項３】
前記筐体の後端から所定範囲内には、前記表示部が含まれないことを特徴とする請求項２に記載の電子体温計。
【請求項４】
前記凹面形状部の表面に、体温の計測を開始するためのスイッチをさらに備えることを特徴とする請求項１乃至３の何れか１項に記載の電子体温計。
【請求項５】
前記スイッチは、前記電子体温計の筐体表面よりも外部に突出しないように形成されていることを特徴とする請求項４に記載の電子体温計。
【請求項６】
前記凹面形状部の表面に、音声を出力するための音孔をさらに備えることを特徴とする請求項１乃至５の何れか１項に記載の電子体温計。
【請求項７】
前記凹面形状部は、凹曲面形状を有することを特徴とする請求項１乃至６の何れか１項に記載の電子体温計。
【請求項８】
前記凹曲面形状は、すり鉢形状であることを特徴とする請求項７に記載の電子体温計。
【請求項９】
前記凹面形状部の表面は、凹凸を有することを特徴とする請求項１乃至８の何れか１項に記載の電子体温計。
【請求項１０】
前記把持部は、前記筐体よりも摩擦係数が高くなる素材で形成されることを特徴とする請求項１乃至９の何れか１項に記載の電子体温計。
【発明の詳細な説明】
【技術分野】
【０００１】
本発明は、被検者の体温を測定する電子体温計に関するものである。
【背景技術】
【０００２】
従来、被検者の腋下や舌下などの被測定部位の温度を検出して体温を測定する電子体温計が知られている。一般に、電子体温計は、特許文献１に記載のように、本体ケースの先細状の先端部に設けられた検温部や、本体ケースの後端部に設けられた測定開始指示のためのスイッチを備えている。
【先行技術文献】
【特許文献】
【０００３】
【特許文献１】特開２００４−２０２４１号公報
【発明の概要】
【発明が解決しようとする課題】
【０００４】
しかしながら、従来の電子体温計では、本体ケースは連続的に滑らかに形成されており、ユーザが何れの部位を把持するかは任意であった。そのため、把持が不十分となり電子体温計を床面に落としてしまうことがあった。
【０００５】
上記の課題に鑑み、本発明は、ユーザが把持しやすい電子体温計を提供することを目的とする。
【課題を解決するための手段】
【０００６】
上記の目的を達成する本発明に係る電子体温計は、
被検者の体温を計測する電子体温計であって、
前記体温を計測する温度計測部と、
前記体温を表示する表示部と、
前記温度計測部を先端に収納する筐体と、
前記筐体の後端から所定範囲内の筐体表面に形成された把持部と、を備え、
前記表示部側の前記把持部は、凹面形状部を有することを特徴とする。
【発明の効果】
【０００７】
本発明によれば、ユーザが把持しやすい電子体温計を提供することができる。
【図面の簡単な説明】
【０００８】
【図１】本発明の一実施形態に係る電子体温計１００の外観構成を示す図である。
【図２】本発明の一実施形態に係る電子体温計１００をユーザが把持した一例を示す図である。
【図３】本発明の一実施形態に係る電子体温計１００の機能構成を示す図である。
【図４】本発明の一実施形態に係る電子体温計１００の使用例を説明するための図である。
【図５】本発明の一実施形態に係る電子体温計１００の使用例を説明するための図である。
【発明を実施するための形態】
【０００９】
以下、本発明の実施形態について図面を参照しながら説明する。
【００１０】
＜１．電子体温計の外観構成＞
はじめに電子体温計の外観構成について説明する。図１は、本発明の一実施形態に係る電子体温計１００の外観構成を示す図である。図１において、１０１は本体ケース（筐体）であり、後述する演算制御部等の電子回路、電池（電源部）等が内部に収納されている。
【００１１】
１０２は、電子体温計１００の先端部に設けられたステンレス製の金属キャップであり、内部には温度を計測するためのサーミスタが収納されている。１０３は電源ＯＮ／ＯＦＦスイッチであり、１回、所定秒、例えば１〜２秒押圧すると電源部がＯＮとなり、再度、所定秒、例えば２〜３秒押圧すると電源部がＯＦＦとなる。スイッチ１０３を押下することにより体温測定を開始することができる。１０４は表示部であり、測定した被検者の体温を表示する。
【００１２】
１０５は、体温測定完了を報知するために音声を出力する音孔である。音孔１０５は１つ以上形成してもよく、図１の例では４つの音孔が形成されている。音孔１０５は、円形でもよく、アルコール等が毛細管現象で中に入らないような径で、たとえば、０．３ｍｍ程度の孔径にすることが好ましい。そして、１０６は凹面形状部であり、電子体温計１００の表示部１０４側の把持部の一部を構成している。
【００１３】
凹面形状部１０６は、本体ケース１０１（筐体）の後端から所定範囲内の筐体表面上に形成される。図１の例では、表示部１０４と同一の面上であり、かつ本体ケース１０１（筐体）の後端から所定範囲内（表示部１０４と筐体後端との間）の筐体表面上に形成されている。すなわち、図１の例では、筐体の後端から所定範囲内には、表示部１０４が含まれていない。表示部１０４と同じ面上に凹面形状部１０６を設けることにより、ユーザ（被検者自身または介護者や保護者）は把持部の一部を構成する凹面形状部１０６を把持しつつ表示部１０４の表示内容を確認しやすくなる。
【００１４】
ユーザは把持部を把持して電子体温計１００を腋窩へ挿入する。また、１１０は電子体温計１００の側面図であり、１２０は電子体温計１００の後端図である。
【００１５】
図２は、本発明の一実施形態に係る電子体温計１００を、ユーザ（被検者または介護者や保護者）が把持した一例を示す図である。図２において、ユーザは、通常は、右手か左手のいずれかの一方の利き手１５０（この場合、右手）で、筐体の後端から所定範囲内の筐体表面に形成された把持部のうち、人指し指は電子体温計１００の側面を、中指は電子体温計１００の表示部１０４とは反対側の面を、親指１５１は凹面形状部１０６に載置された状態になっている。凹面形状部１０６を凹面形状に形成したことにより、ユーザは把持部を把持しやすくなり、把持状態が安定する。
【００１６】
また、凹面形状である把持部の一部（凹面形状部１０６）にスイッチ１０３が設けられているため、ユーザは、人指し指で電子体温計１００の側面を、中指で電子体温計１００の表示部１０４とは反対側の面を、親指で凹面形状部１０６を把持した際に、親指でスイッチ１０３を押下しやすい。
【００１７】
ここでスイッチ１０３が電子体温計１００の後端面に設けられる場合は、ユーザは一度当該スイッチを押下した後、電子体温計１００を持ち替えた上で腋窩への挿入を行う必要があるので、一般に２ステップを要することになる。これに対して、凹面形状部１０６にスイッチ１０３を設けることにより、ユーザは一度把持を行えば、その把持状態を継続したままスイッチ１０３を押下することができる。さらに、電子体温計１００を持ち替えることなくそのまま腋窩へ挿入することが可能になるため、１ステップに短縮することができ、ユーザビリティが向上する。
【００１８】
また、スイッチ１０３は凹面形状部１０６の表面に設けられるが、図１に示すように、電子体温計１００本体の筐体表面から外部へ突出しないように設けられてもよい。これにより、身体等と接触し誤ってスイッチ１０３が押下されてしまうことを防止できる。
【００１９】
なお、凹面形状部１０６の形状は、ユーザが把持しやすいように把持部が窪んでいればよく、何れの形状であってもよい。たとえば凹曲面形状、さらにはすり鉢形状であることが望ましい。凹曲面形状（たとえばすり鉢形状）にすることにより、ユーザの指がフィットしやすくなるため、さらに把持しやすくなる。
【００２０】
また、電子体温計１００本体ケース１０１（筐体）は一般に硬いプラスチック製であるが、凹面形状部１０６のみ筐体よりも摩擦係数が高くなる素材で構成してもよい。たとえば、凹面形状部１０６の表面をプラスチック製ではなくゴム製の素材にしてもよい。ゴム素材としては、シリコンゴム、ウレタンゴム等を用いることができる。また、凹面形状部１０６の把持表面にさらに凹凸を設けて、より滑りにくくなるように構成してもよい。
【００２１】
＜２．電子体温計の機能構成＞
次に、電子体温計１００の機能構成について説明する。図３は、電子体温計１００の機能構成を示す図である。図３に示すように、電子体温計１００は、温度を計測し、ディジタル信号として出力する温度計測部２１０と、当該ディジタル信号から温度データを算出し、更に算出した温度データを用いて被検者の体温データを算出する演算制御部２２０とを備える。なお、演算制御部２２０は、体温データの算出のほか、電子体温計１００全体の制御も行う。
【００２２】
更に、電子体温計１００は、測定結果を表示する、バックライト用のＬＥＤ２３１を備えた表示部２３０（図１の表示部１０４に対応する）と、電子体温計１００の内部状態（測定エラー、体温測定正常終了等の内部状態）を報知するために音声を出力するブザー部２４０（図１の音孔１０５に対応する）と、ユーザからの指示を受け付ける操作部２５０（図１の電源をＯＮ／ＯＦＦするスイッチ１０３に対応する）と、各部に電源を供給する電源部２６０とを備える。
【００２３】
温度計測部２１０は、並列に接続された感音部に設置されたサーミスタ及びコンデンサと、測温用ＣＲ発振回路とから構成され、サーミスタの温度に対応するディジタル信号を出力する。なお、温度計測部２１０の構成は一例であって、これに限定されるものではない。
【００２４】
演算制御部２２０は、温度計測部２１０より出力されるディジタル信号のＯＮ時間を計測するタイマー２２６を備える。また、タイマー２２６により計測された時間に基づいて温度データを算出する処理を行うプログラムを格納したＲＯＭ２２２と、算出された温度データを時系列で記憶するためのＲＡＭ２２３と、所定の音声データを格納したＥＥＰＲＯＭ２２４と、ＲＯＭ２２２に格納されたプログラムに従った演算や音声データの出力を行う演算処理部２２１とを備える。
【００２５】
また、演算処理部２２１における演算結果を表示する表示部２３０を制御するための表示制御部２２７を備える。更に、演算制御部２２０は、タイマー２２６、表示制御部２２７、演算処理部２２１、温度計測部２１０を制御する制御回路２２５を備える。
【００２６】
なお、図３には記載されていないが、算出した体温データを外部に無線送信するための無線通信部が配されていてもよい。無線通信としてはＮＦＣ（Near Field Communication）を用いることができる。
【００２７】
＜３．電子体温計の使用例＞
以下、図４及び図５を参照して、本実施形態に係る電子体温計１００の使用例を説明する。図４において、ユーザ４０は、図２に示すように電子体温計１００を把持しつつ、体温測定を開始するためにスイッチ１０３を押下して腋窩に挟む動作を行う。所定時間経過後、演算制御部２２０の制御の下で体温測定が完了し、測定が完了したことを示すメロディや電子音等の音４１がブザー部２４０（図１の音孔１０５）を通じて報知される。音孔１０５は、電子体温計１００を腋窩に挟んでもユーザ４０の身体によって覆われない位置に設けられているため、ユーザ４０は音を聞き取りやすい。
【００２８】
そして、ユーザ４０が体温測定の完了を認識した後は、図５に示すようにユーザ４０は手５０で電子体温計１００を腋窩から取り出す。ここで、音孔１０５が凹面形状部１０６の表面に設けられているので、測定完了を認識したユーザ４０が指５１で音孔１０５を塞ぐことができる。そのため、所望の音量になるように調整しながら電子体温計１００を腋窩から取り出すことができる。
【００２９】
以上説明したように、本実施形態によれば、凹面形状部を設けることにより、ユーザが把持しやすい電子体温計を提供することができる。さらに、当該凹面形状部の表面上にスイッチを設けることにより、ユーザが電子体温計を持ち替える必要がなくなり、ユーザビリティが向上する。さらには、当該凹面形状部の表面上に音孔を設けることにより、把持しながら音量調節が可能となるため快適に体温測定を行うことができる。
【符号の説明】
【００３０】
４０・・・ユーザ、音・・・４１、５０・・・手、５１・・・指、１００・・・電子体温計、１０１・・・本体ケース、１０２・・・金属キャップ、１０３・・・スイッチ、１０４・・・表示部、１０５・・・音孔、１０６・・・凹面形状部（把持部の一部）、１５０・・・手、１５１・・・親指、２１０・・・温度計測部、２２０・・・演算制御部、２２１・・・演算処理部、２２２・・・ＲＯＭ、２２３・・・ＲＡＭ、２２４・・・ＥＥＰＲＯＭ、２２５・・・制御回路、２２６・・・タイマー、２２７・・・表示制御部、２３０・・・表示部、２３１・・・ＬＥＤ、２４０・・・ブザー部、２５０・・・操作部、２６０・・・電源部
【図１】
2014202501.tif 000003
【図２】
2014202501.tif 000004
【図３】
2014202501.tif 000005
【図５】
2014202501.tif 000006
【図４】
2014202501.tif 000007